(57)【要約】      （修正有）【課題】携帯型外科用機器を提供する。【解決手段】外科用機器２であって、細長いシャフト８を含むハウジング６と細長いシャフトの遠位末端において作動可能に支持されるエンドエフェクタ１４とバッテリーアセンブリ４とを含み、ハウジングはドッキング部分の中に画定される少なくとも１つの孔およびその中に配置される電気回路を含み、バッテリーアセンブリはドッキング部分に選択的におよび旋回可能に係合可能であり、電気エネルギーを発生させるように構成され、ドッキング部分における孔を解放可能に係合するように構成された少なくとも１つの突起と、バッテリーアセンブリをドッキング部分にラッチがけするための最初の位置からバッテリーアセンブリをドッキング部分からラッチを外すための次の位置まで移動可能であるラッチメカニズムとを含み、バッテリーアセンブリを挿入する際にドッキング部材の電気回路と連通するように適合される、外科用機器。【選択図】図１
2015062696.tif 000002
【特許請求の範囲】
【請求項１】
携帯型超音波外科用機器であって、
ハウジングであって、前記ハウジングは、前記ハウジングから遠位方向に延びる細長いシャフトを含み、前記ハウジングは、前記細長いシャフトを通る長手方向軸を画定し、前記ハウジングは、ガイドレールを含む、ハウジングと、
前記細長いシャフトの遠位末端において作動可能に支持されたエンドエフェクタであって、前記エンドエフェクタは、組織に効果をもたらすように構成された処置部分を含む、エンドエフェクタと、
電気エネルギーを生成するように構成されたバッテリーアセンブリであって、前記バッテリーアセンブリは、係止ボルトを含み、前記係止ボルトは、対応する溝を有し、前記対応する溝は、前記係止ボルト上に画定されており、かつ、前記ハウジングの前記ガイドレールに係合するように構成されており、これにより、前記バッテリーアセンブリを前記ハウジングに解放可能に結合する、バッテリーアセンブリと、
前記ハウジングおよび前記バッテリーアセンブリに作動可能に結合するように構成された選択的に取り外し可能な超音波発電機であって、前記超音波発電機は、前記バッテリーアセンブリからの電気エネルギーを超音波エネルギーに変換することにより、前記処置部分を駆動するように構成されている、超音波発電機と
を含む、携帯型超音波外科用機器。
【請求項２】
前記バッテリーアセンブリおよび前記係止ボルトに作動可能に結合された握りをさらに含み、前記握りは、前記係止ボルトを前記ガイドレールに係合するために第１の方向に回転可能であり、前記係止ボルトを前記ガイドレールから係合解除するために第２の反対の方向に回転可能である、請求項１に記載の携帯型超音波外科用機器。
【請求項３】
前記ガイドレールは、実質的に螺旋の構成を含み、前記実質的に螺旋の構成は、前記実質的に螺旋の構成を通して前記係止ボルトを受け取るような寸法にされている、請求項１に記載の携帯型超音波外科用機器。
【請求項４】
前記バッテリーアセンブリの長さに沿って延びるネジ山付きロッドをさらに含み、前記ネジ山付きロッドは、前記係止ボルトを前記握りに作動可能に結合するように構成されている、請求項２に記載の携帯型超音波外科用機器。
【請求項５】
前記握りに隣接するように配置された係止ナットをさらに含み、前記係止ナットは、前記ネジ山付きロッドを前記バッテリーアセンブリに結合するように構成されている、請求項４に記載の携帯型超音波外科用機器。
【請求項６】
前記超音波発電機および前記バッテリーアセンブリが前記ハウジングに結合されたとき、前記発電機は、前記バッテリーアセンブリと通信するように構成されている、請求項１に記載の携帯型超音波外科用機器。
【請求項７】
前記エンドエフェクタは、締めつけあご部材を含み、前記締めつけあご部材は、活動性のあご部材の作動表面から間隔をあけた開口位置と、前記活動性のあご部材の前記作動表面と並列して整列する閉鎖位置との間で、前記活動性のあご部材に対して移動可能である、請求項１に記載の携帯型超音波外科用機器。
【請求項８】
前記ハウジングは、前記締めつけあご部に作動可能に結合されたあご部レバーをさらに含み、前記あご部レバーは、前記締めつけあご部の移動を伝えるように構成されている、請求項７に記載の携帯型超音波外科用機器。
【請求項９】
前記作動表面は、組織を横切ること、切開すること、密封すること、凝固させることのうちの１つを行うように構成されている、請求項７に記載の携帯型超音波外科用機器。
【発明の詳細な説明】
【技術分野】
【０００１】
技術分野
本開示は、携帯型外科用機器に関し、そしてより詳しくは、バッテリーおよび／またはバッテリーアセンブリを収容し、携帯型外科用機器に解放可能に連結するように構成されるハンドピースを利用する携帯型外科用機器に関する。
【背景技術】
【０００２】
関連技術の背景
携帯型外科用機器は、医学分野において公知である。携帯型外科用機器は、代表的に、電気コンセントから電力を引く外科用機器に関連する欠点のうちのいくつかを克服する。すなわち、コンセント駆動外科用機器は、手術室の環境において、つまずきおよび／またはもつれの危険を作り出し得る電力コードを利用する。
【０００３】
代表的に、携帯型外科用機器は、携帯型外科用機器に取り外し可能に連結されるようにか、または「ラッチがけ（ｌａｔｃｈ）」されるように構成されるバッテリーまたはバッテリーアセンブリを含む。理想的なシナリオにおいて、バッテリーまたはバッテリーアセンブリは、外科手順全体の間に携帯型外科用機器に連結されたままか、または「ラッチがけ」されたままである。あいにく、および特定の例において、バッテリーまたはバッテリーアセンブリは、時折、外科手順中に携帯型外科用機器から連結解除されるか、または「ラッチを外され（ｕｎｌａｔｃｈｅｄ）」なければならない。例えば、バッテリーまたはバッテリーアセンブリは、滅菌（または再滅菌）、充電（または再充電）などのために外科用機器からラッチを外されなければならない場合がある。
【発明の概要】
【課題を解決するための手段】
【０００４】
概要
認識され得るように、携帯型外科用機器のハンドピースに、迅速に、そして容易に連結されるようにか、またはラッチがけされるように構成される取り外し可能なバッテリーまたはバッテリーアセンブリは、手術環境において、有利であることを証明し得る。
【０００５】
本明細書中で用いられる場合、「電気外科手順」は、一般に、例えば、マイクロ波エネルギー、高周波（ＲＦ）エネルギー、超音波エネルギー、熱エネルギーなどのような任意の形態のエネルギーを含む任意の電気外科手順を指す。本明細書中で用いられる場合、「エンドエフェクタ」は、一般に、組織を処置することが可能であるエンドエフェクタ（例えば、超音波エネルギー、電気外科エネルギー（例えば、高周波エネルギーおよび／またはマイクロ波エネルギー）、および／または熱エネルギーを利用して組織を処置するように構成されるあご部材を含むエンドエフェクタ；および組織をステープル留めし、その後、前述のエネルギーのうちの１つを利用して電気外科的に処置するように構成される電気外科用ステープラーエンドエフェクタ（例えば、アンビル／カートリッジアセンブリ））を指す。
【０００６】
本開示の局面は、外科用機器を提供する。外科用機器は、ハウジングを含み、ハウジングは、そこから遠位方向に延びる細長いシャフトを含み、細長いシャフトは、そこを通って画定される長手方向の軸を有する。ハウジングは、ドッキング部分を含み、ドッキング部分は、その中に画定される１つ以上の孔およびその中に配置される電気回路を含む。エンドエフェクタは、細長いシャフトの遠位末端において作動可能に支持される。ハウジングのドッキング部分に選択的におよび旋回可能に係合可能であるバッテリーアセンブリは、電気エネルギーを発生させるように構成される。バッテリーアセンブリは、ドッキング部分における孔（複数可）を解放可能に係合するように構成された１つ以上の突起、およびバッテリーアセンブリをドッキング部分にラッチがけするための最初の位置から、バッテリーアセンブリをドッキング部分からラッチを外すための次の位置まで移動可能であるラッチメカニズムを含む。バッテリーアセンブリは、バッテリーアセンブリをドッキング部分において画定される少なくとも１つの孔に挿入する際に、ドッキング部材の電気回路と連通するように適合され得る。
【０００７】
選択的に取り外し可能な発電機は、ドッキング部材の電気回路を介してバッテリーアセンブリと作動的に連通し得る。
【０００８】
バッテリーアセンブリは、超音波外科用機器のハウジングに配置された対応する部材の周りを旋回するように構成される旋回部材を含み得る。この例において、旋回部材は、ほぼフックの形を含み得、バッテリーアセンブリの近位末端に配置され得る。
【０００９】
バッテリーアセンブリに配置された対応する突起は、その遠位末端に位置し得る。
【００１０】
特定の例において、ドッキング部分における孔（複数可）は、２つ以上の孔によってさらに画定され、バッテリーアセンブリにおける突起（複数可）は、少なくとも２つの孔を係合するように構成される２つ以上の突起によってさらに画定される。
【００１１】
ラッチは、通常、ドッキング部分の細長い部材によって後退した位置に保持され得る。さらに、ラッチの頂部部分は、所定の点を超えてラッチが移動することを防ぐために、バッテリーアセンブリにおける突起（複数可）に接触するように構成される側方の棒部分を含み得る。さらに、ラッチは、使用者の指を受け取るように人間工学的に構成される底部部分を含み得る。
【００１２】
特定の例において、バッテリーアセンブリは、過圧安全ベントを含み得る。
【００１３】
エンドエフェクタは、活動性のあご部材の作動表面から間隔をあけた開口位置と、活動性のあご部材の作動表面と並列して整列する閉鎖位置との間で、活動性のあご部材に対して移動可能である締めつけ（ｃｌａｍｐｉｎｇ）あご部材を含み得る。さらに、ハウジングは、締めつけあご部の移動を伝えるためのあご部レバーを含み得る。さらに、作動表面は、組織を横切し、切開し、密封し、凝固させるうちの１つのために構成され得る。
【００１４】
本開示の局面は、組織を処置するための外科用システムを提供する。外科用機器は、ハウジングを含み、ハウジングは、そこから遠位方向に延びる細長いシャフトを含み、細長いシャフトは、そこを通って画定される長手方向の軸を有する。ハウジングは、ドッキング部分を含み、ドッキング部分は、その中に画定される１つ以上の孔およびその中に配置される電気回路を含む。エンドエフェクタは、細長いシャフトの遠位末端において作動可能に支持される。ハウジングのドッキング部分に選択的におよび旋回可能に係合可能であるバッテリーアセンブリは、電気エネルギーを発生させるように構成される。バッテリーアセンブリは、ドッキング部分における孔（複数可）を解放可能に係合するように構成された１つ以上の突起、およびバッテリーアセンブリをドッキング部分にラッチがけするための最初の位置から、バッテリーアセンブリをドッキング部分からラッチを外すための次の位置まで移動可能であるラッチメカニズムを含む。選択的に取り外し可能な発電機は、ドッキング部材の電気回路を介してバッテリーアセンブリと作動的に連通する。
【００１５】
バッテリーアセンブリは、超音波外科用機器のハウジングに配置された対応する部材の周りを旋回するように構成される旋回部材を含み得る。この例において、旋回部材は、ほぼフックの形を含み得、バッテリーアセンブリの近位末端に配置され得る。
【００１６】
バッテリーアセンブリに配置された対応する突起は、その遠位末端に位置し得る。
【００１７】
特定の例において、ドッキング部分における孔（複数可）は、２つ以上の孔によってさらに画定され、バッテリーアセンブリにおける突起（複数可）は、少なくとも２つの孔を係合するように構成される２つ以上の突起によってさらに画定される。
【００１８】
ラッチは、通常、ドッキング部分の細長い部材によって後退した位置に保持され得る。さらに、ラッチの頂部部分は、所定の点を超えてラッチが移動することを防ぐために、バッテリーアセンブリにおける突起（複数可）に接触するように構成される側方の棒部分を含み得る。
【００１９】
本開示の局面はまた、電気エネルギーを外科用機器に提供する方法を提供する。ハウジングを含む外科用機器が提供され、ハウジングは、ドッキング部分を含み、ドッキング部分は、その中に画定される１つ以上の孔およびその中に配置される電気回路を含む。バッテリーアセンブリは、外科用機器のドッキング部分において画定される少なくとも１つの孔に旋回可能に係合される。バッテリーアセンブリは、ドッキング部分における孔（複数可）を解放可能に係合する１つ以上の突起、およびバッテリーアセンブリをドッキング部分にラッチがけするための最初の位置から、バッテリーアセンブリをドッキング部分からラッチを外すための次の位置まで移動可能であるラッチメカニズムを含む。バッテリーアセンブリは、バッテリーアセンブリをドッキング部分において画定される少なくとも１つの孔に旋回可能に係合する際に、ドッキング部材の電気回路と連通させられる。
【００２０】
本発明は、例えば以下の項目を提供する。
（項目１）
外科用機器であって、該外科用機器は、
ハウジングとエンドエフェクタとバッテリーアセンブリとを含み、
該ハウジングは、そこから遠位方向に延びる細長いシャフトを含み、該細長いシャフトは、そこを通って画定される長手方向の軸を有し、該ハウジングは、ドッキング部分を含み、該ドッキング部分は、その中に画定される少なくとも１つの孔および該ドッキング部分の中に配置される電気回路を含み、
該エンドエフェクタは、該細長いシャフトの遠位末端において作動可能に支持され、
該バッテリーアセンブリは、該ハウジングの該ドッキング部分に選択的におよび旋回可能に係合可能であり、電気エネルギーを発生させるように構成され、該バッテリーアセンブリは、該ドッキング部分における該少なくとも１つの孔を解放可能に係合するように構成された少なくとも１つの突起、および該バッテリーアセンブリを該ドッキング部分にラッチがけするための最初の位置から、該バッテリーアセンブリを該ドッキング部分からラッチを外すための次の位置まで移動可能であるラッチメカニズムを含み、
該バッテリーアセンブリは、該バッテリーアセンブリを該ドッキング部分において画定される該少なくとも１つの孔に挿入する際に、該ドッキング部分の該電気回路と連通するように適合される、
外科用機器。
（項目２）
発電機は、上記ハウジングに選択的におよび取り外し可能に連結するように構成される、上記項目に記載の外科用機器。
（項目３）
上記発電機およびバッテリーアセンブリが上記ハウジングに連結される場合に、該発電機は、上記電気回路を介して該バッテリーアセンブリと連通するように構成される、上記項目のうちのいずれか一項に記載の外科用機器。
（項目４）
上記バッテリーアセンブリは、上記外科用機器の上記ハウジングに配置された対応する部材の周りを旋回するように構成される旋回部材を含む、上記項目のうちのいずれか一項に記載の外科用機器。
（項目５）
上記旋回部材は、ほぼフックの形を含み、上記バッテリーアセンブリの近位末端に配置される、上記項目のうちのいずれか一項に記載の外科用機器。
（項目６）
上記バッテリーアセンブリに配置された上記少なくとも１つの対応する突起は、該バッテリーアセンブリの遠位末端に位置する、上記項目のうちのいずれか一項に記載の外科用機器。
（項目７）
上記ドッキング部分における上記少なくとも１つの孔は、少なくとも２つの孔によってさらに画定され、上記バッテリーアセンブリにおける上記少なくとも１つの突起は、該少なくとも２つの孔を係合するように構成される少なくとも２つの突起によってさらに画定される、上記項目のうちのいずれか一項に記載の外科用機器。
（項目８）
上記ラッチは、通常、上記ドッキング部分の細長い部材によって後退した位置に保持される、上記項目のうちのいずれか一項に記載の外科用機器。
（項目９）
上記ラッチの頂部部分は、所定の点を超えて該ラッチが移動することを防ぐために、上記バッテリーアセンブリにおける上記少なくとも１つの突起に接触するように構成される側方の棒部分を含む、上記項目のうちのいずれか一項に記載の外科用機器。
（項目１０）
上記ラッチは、使用者の指を受け取るように人間工学的に構成される底部部分を含む、上記項目のうちのいずれか一項に記載の外科用機器。
（項目１１）
上記バッテリーアセンブリは、過圧安全ベントをさらに含む、上記項目のうちのいずれか一項に記載の外科用機器。
（項目１２）
上記エンドエフェクタは、締めつけあご部材を含み、該締めつけあご部材は、活動性のあご部材の作動表面から間隔をあけた開口位置と、該活動性のあご部材の該作動表面と並列して整列する閉鎖位置との間で、該活動性のあご部材に対して移動可能である、上記項目のうちのいずれか一項に記載の外科用機器。
（項目１３）
上記ハウジングは、上記締めつけあご部の移動を伝えるためのあご部レバーをさらに含む、上記項目のうちのいずれか一項に記載の外科用機器。
（項目１４）
上記作動表面は、組織を横切し、切開し、密封し、凝固させるうちの１つのために構成される、上記項目のうちのいずれか一項に記載の外科用機器。
（項目１５）
組織を処置するための外科用システムであって、該外科用システムは、
外科用機器を含み、該外科用機器は、
ハウジングとエンドエフェクタとバッテリーアセンブリと選択的に取り外し可能である発電機とを含み、
該ハウジングは、そこから遠位方向に延びる細長いシャフトを含み、該細長いシャフトは、そこを通って画定される長手方向の軸を有し、該ハウジングは、ドッキング部分を含み、該ドッキング部分は、その中に画定される少なくとも１つの孔および該ドッキング部分の中に配置される電気回路を含み、
該エンドエフェクタは、該細長いシャフトの遠位末端において作動可能に支持され、
該バッテリーアセンブリは、該外科用機器の該ドッキング部分に選択的におよび旋回可能に係合可能であり、電気エネルギーを発生させるように構成され、該バッテリーアセンブリは、該ドッキング部分における該少なくとも１つの孔を解放可能に係合するように構成された少なくとも１つの突起、および該バッテリーアセンブリを該ドッキング部分にラッチがけするための最初の位置から、該バッテリーアセンブリを該ドッキング部分からラッチを外すための次の位置まで移動可能であるラッチメカニズムを含み、
該発電機は、該ドッキング部分の該電気回路を介して該バッテリーアセンブリと作動的に連通する、
外科用システム。
（項目１６）
上記バッテリーアセンブリは、上記外科用機器の上記ハウジングに配置された対応する部材の周りを旋回するように構成される旋回部材を含む、上記項目のうちのいずれか一項に記載の外科用システム。
（項目１７）
上記旋回部材は、ほぼフックの形を含み、上記バッテリーアセンブリの近位末端に配置される、上記項目のうちのいずれか一項に記載の外科用システム。
（項目１８）
上記バッテリーアセンブリに配置された上記少なくとも１つの対応する突起は、該バッテリーアセンブリの遠位末端に位置する、上記項目のうちのいずれか一項に記載の外科用システム。
（項目１９）
上記ドッキング部分における上記少なくとも１つの孔は、少なくとも２つの孔によってさらに画定され、上記バッテリーアセンブリにおける上記少なくとも１つの突起は、該少なくとも２つの孔を係合するように構成される少なくとも２つの突起によってさらに画定される、上記項目のうちのいずれか一項に記載の外科用システム。
（項目２０）
電気エネルギーを外科用機器に提供する方法であって、該方法は、
外科用機器を提供する工程であって、該外科用機器は、ハウジングを含み、該ハウジングは、ドッキング部分を含み、該ドッキング部分は、その中に画定される少なくとも１つの孔および該ドッキング部分の中に配置される電気回路を含む、工程と、
バッテリーアセンブリを、該外科用機器の該ドッキング部分において画定される該少なくとも１つの孔に旋回可能に係合する工程であって、該バッテリーアセンブリは、該ドッキング部分における該少なくとも１つの孔を解放可能に係合する少なくとも１つの突起、および該バッテリーアセンブリを該ドッキング部分にラッチがけするための最初の位置から、該バッテリーアセンブリを該ドッキング部分からラッチを外すための次の位置まで移動可能であるラッチメカニズムを含む、工程と、
該バッテリーアセンブリを該ドッキング部分において画定される該少なくとも１つの孔に旋回可能に係合する際に、該バッテリーアセンブリを該ドッキング部分の該電気回路と連通させる工程と
を含む、
方法。
【００２１】
（摘要）
外科用機器が提供され、外科用機器は、細長いシャフトを含むハウジングを含む。ハウジングは、ドッキング部分を含み、ドッキング部分は、その中に画定される１つ以上の孔およびその中に配置される電気回路を含む。エンドエフェクタは、細長いシャフトの遠位末端において作動可能に支持される。バッテリーアセンブリは、ハウジングのドッキング部分と選択的におよび旋回可能に係合可能であり、電気エネルギーを発生させるように構成される。バッテリーアセンブリは、ドッキング部分における孔（複数可）を解放可能に係合するように構成された１つ以上の突起、およびバッテリーアセンブリをドッキング部分にラッチがけするための最初の位置から、バッテリーアセンブリをドッキング部分からラッチを外すための次の位置まで移動可能であるラッチメカニズムを含む。バッテリーアセンブリは、バッテリーアセンブリを少なくとも１つの孔に挿入する際に、ドッキング部材の電気回路と連通するように適合される。
【図面の簡単な説明】
【００２２】
目下開示される携帯型外科用機器の実施形態は、図面を参照して以下に記載される。
【図１】図１は、本開示の実施形態に従う取り外し可能なバッテリーアセンブリでの使用のために構成されるバッテリーで動く外科用機器の側面斜視図である。
【図２Ａ】図２Ａは、バッテリーアセンブリから分離された、図１に描かれるバッテリーで動く外科用機器の側面斜視図である。
【図２Ｂ】図２Ｂは、パーツが分離された状態での、図２Ａに示された細部の領域の拡大された斜視図である。
【図３】図３は、バッテリーアセンブリから分離され、長手方向の軸「Ａ−Ａ」の周りを旋回した、図１に描かれるバッテリーで動く外科用機器の側面図である。
【図４】図４は、図３に描かれるバッテリーで動く外科用機器の端面図である。
【図５Ａ】図５Ａは、本開示の別の実施形態に従う取り外し可能なバッテリーアセンブリでの使用のために構成されるバッテリーで動く外科用機器の概略図である。
【図５Ｂ】図５Ｂは、本開示の別の実施形態に従う取り外し可能なバッテリーアセンブリでの使用のために構成されるバッテリーで動く外科用機器の概略図である。
【図６Ａ】図６Ａは、本開示のさらに別の実施形態に従う取り外し可能なバッテリーアセンブリでの使用のために構成されるバッテリーで動く外科用機器の概略図である。
【図６Ｂ】図６Ｂは、本開示のさらに別の実施形態に従う取り外し可能なバッテリーアセンブリでの使用のために構成されるバッテリーで動く外科用機器の概略図である。
【図６Ｃ】図６Ｃは、本開示のさらに別の実施形態に従う取り外し可能なバッテリーアセンブリでの使用のために構成されるバッテリーで動く外科用機器の概略図である。
【図７Ａ】図７Ａは、本開示のさらに別の実施形態に従う取り外し可能なバッテリーアセンブリでの使用のために構成されるバッテリーで動く外科用機器の概略図である。
【図７Ｂ】図７Ｂは、本開示のさらに別の実施形態に従う取り外し可能なバッテリーアセンブリでの使用のために構成されるバッテリーで動く外科用機器の概略図である。
【図８Ａ】図８Ａは、本開示のさらに別の実施形態に従う取り外し可能なバッテリーアセンブリでの使用のために構成されるバッテリーで動く外科用機器の概略図である。
【図８Ｂ】図８Ｂは、本開示のさらに別の実施形態に従う取り外し可能なバッテリーアセンブリでの使用のために構成されるバッテリーで動く外科用機器の概略図である。
【図９】図９は、本開示のさらに別の実施形態に従う取り外し可能なバッテリーアセンブリでの使用のために構成されるバッテリーで動く外科用機器の概略図である。
【図１０Ａ】図１０Ａは、本開示のさらに別の実施形態に従う取り外し可能なバッテリーアセンブリでの使用のために構成されるバッテリーで動く外科用機器の概略図である。
【図１０Ｂ】図１０Ｂは、本開示のさらに別の実施形態に従う取り外し可能なバッテリーアセンブリでの使用のために構成されるバッテリーで動く外科用機器の概略図である。
【図１１Ａ】図１１Ａは、本開示のさらに別の実施形態に従う取り外し可能なバッテリーアセンブリでの使用のために構成されるバッテリーで動く外科用機器の概略図である。
【図１１Ｂ】図１１Ｂは、本開示のさらに別の実施形態に従う取り外し可能なバッテリーアセンブリでの使用のために構成されるバッテリーで動く外科用機器の概略図である。
【図１１Ｃ】図１１Ｃは、本開示のさらに別の実施形態に従う取り外し可能なバッテリーアセンブリでの使用のために構成されるバッテリーで動く外科用機器の概略図である。
【図１２Ａ】図１２Ａは、本開示のさらに別の実施形態に従う取り外し可能なバッテリーアセンブリでの使用のために構成されるバッテリーで動く外科用機器の概略図である。
【図１２Ｂ】図１２Ｂは、本開示のさらに別の実施形態に従う取り外し可能なバッテリーアセンブリでの使用のために構成されるバッテリーで動く外科用機器の概略図である。
【図１２Ｃ】図１２Ｃは、本開示のさらに別の実施形態に従う取り外し可能なバッテリーアセンブリでの使用のために構成されるバッテリーで動く外科用機器の概略図である。
【図１２Ｄ】図１２Ｄは、本開示のさらに別の実施形態に従う取り外し可能なバッテリーアセンブリでの使用のために構成されるバッテリーで動く外科用機器の概略図である。
【図１３Ａ】図１３Ａは、本開示のさらに別の実施形態に従う取り外し可能なバッテリーアセンブリでの使用のために構成されるバッテリーで動く外科用機器の概略図である。
【図１３Ｂ】図１３Ｂは、本開示のさらに別の実施形態に従う取り外し可能なバッテリーアセンブリでの使用のために構成されるバッテリーで動く外科用機器の概略図である。
【図１３Ｃ】図１３Ｃは、本開示のさらに別の実施形態に従う取り外し可能なバッテリーアセンブリでの使用のために構成されるバッテリーで動く外科用機器の概略図である。
【発明を実施するための形態】
【００２３】
実施形態の詳細な説明
本開示の詳細な実施形態が本明細書中に開示されるが、開示される実施形態は、単に本開示の例であり、種々の形態で具体化され得る。従って、本明細書中に記載される特定の構造上および機能上の詳細は、限定するものではなく、単に特許請求の範囲のための基礎として、および事実上任意の適切に詳述した構造で本開示を様々に用いるために、当業者に教示するための代表的な基礎として解釈される。
【００２４】
図面において、そして以下の記載において、用語「近位」は、慣習的であるように、使用者により近い末端を指し、他方、用語「遠位」は、使用者からより遠い末端を指す。
【００２５】
図１〜４を参照して、まず図１を参照すると、本開示の実施形態に従う取り外し可能なバッテリーアセンブリ４での使用のために構成される、バッテリーで動く外科用機器２が例示される。バッテリーアセンブリ４は、多様なバッテリーで動く機器での使用のために構成され得、その機器としては、電気外科用鉗子、ステープラーなどが挙げられるが、これらに限定されない。例示の目的のために、バッテリーアセンブリ４は、携帯型超音波外科用機器２（機器２）での使用に関して記載される。
【００２６】
機器２は、ハウジング６（図１、２Ａ、３、および４）を含み、ハウジング６は、機器２のバッテリーアセンブリ４との電気的連通のために構成される１つ以上の構成要素（例えば、変換器、発電機、および電気回路）を収容するように構成される。ハウジング６の近位末端は、下により詳細に記載されるように、超音波発電機２８（発電機２８）およびバッテリーアセンブリ４に解放可能に連結するように構成される。ハウジング６の遠位末端は、シャフト８を支持し、そして／またはシャフト８に連結するように構成される。
【００２７】
シャフト８は、ハウジング６から延び、シャフト８を通る長手方向の軸「Ａ−Ａ」を画定する（図１）。シャフト回転握り２６（図１）は、シャフト８に作動可能に連結され、いずれかの方向で長手方向の軸「Ａ−Ａ」の周りにシャフト８を回転させるように構成される。シャフト８の近位末端１０は、ハウジング６に作動可能に連結され、シャフト８の遠位末端１２は、エンドエフェクタ１４に作動可能に連結される。下により詳細に記載されるように、ハウジング６に連結されるハンドル２０の始動の際に、エンドエフェクタ１４のパーツ（例えば、あご部材１６および１８）の作動は、互いに対して移動可能である。
【００２８】
認識され得るように、エンドエフェクタ１４の構成は、特定の電気外科手順に適応させるために変更され得る。例えば、組織がステープル留めされるべき場合、エンドエフェクタは、アンビルおよびカートリッジアセンブリを含み得、組織が密封されるべき場合、エンドエフェクタは、組織をつかみ、その後、密封するように構成される一対のあご部材を含み得る。後者の例において、組織を密封するために、例えば、高周波エネルギー、超音波エネルギーなどのような１つ以上の適切なエネルギー形態が利用され得る。
【００２９】
エンドエフェクタ１４は、一対のあご部材１６および１８（図１および２Ａ）を含む。例示の目的のために、エンドエフェクタ１４は、超音波エネルギーを介して組織を処置するように構成されるあご部材１６および１８を含む。あご部材１６は、あご部材１８（および／またはシャフト８の遠位末端１２）の周りを旋回可能であり、レバーまたは移動可能なハンドル２０が近位に移動させられる場合に、あご部材１８（および／またはシャフト８の遠位末端１２）に対して移動可能である。より詳しくは、あご部材１６は、あご部材１６と１８との間に組織を位置決めるするための開口位置から、あご部材１６と１８との間に組織をつかむための締めつけ位置まで、およびあご部材１８に向かって、移動可能である。例示される実施形態において、あご部材１８は、活動性の、または振動する刃として役立ち、組織を処置するために構成される。この目的のために、あご部材１８は、変換器３２（図１、２Ａ、および４）および組織を処置するように構成される作動表面２２（図１および２Ａ）に作動可能に連結される超音波部材（示されない）を含む。例示される実施形態において、作動表面２２は、起動ボタン２４（図１、２Ａ、および３）の始動の際に組織を横切し、切開し、および／または凝固させるように構成される。
【００３０】
起動ボタン２４は、機器２を２つの作動モード、低出力の作動モードおよび高出力の作動モードの状態に置く。より詳しくは、起動ボタン２４は、活動性のあご部材１８に低出力を伝えるための第一の位置および活動性のあご部材１８に高出力を伝えるための第二の位置まで押し下げ可能である。第一の位置において、１つ以上の音声または視覚によるインジケーターは、起動ボタン２４が低出力モードにあることを使用者に示し得る。例えば、そして１つの特定の実施形態において、音声インジケーターは、起動ボタン２４が第一の位置にあることを使用者に示す低ピッチの遅い拍動のトーンを含み得る。同様に、１つ以上の音声または視覚によるインジケーター（示されない）は、起動ボタンが高出力モードにあることを使用者に示し得、例えば、音声インジケーターは、起動ボタン２４が第二の位置にあることを使用者に示す高ピッチの速い拍動のトーンを含み得る。
【００３１】
発電機２８（図１、２Ａ、３、および４）は、活動性のあご部材１８を駆動するために、バッテリーアセンブリ４のバッテリー３０（図２Ｂに最も良好に参照されるような）によって発生する電気エネルギーを超音波エネルギーに変換するように構成される。
【００３２】
発電機２８は、ハウジング６に作動可能に連結し、バッテリー３０の取り外しとともに、または独立してのいずれかでハウジング６から選択的に取り外し可能であり得る。図１、２Ａ、および３に示される実施形態においてより詳しくは、使用者は、発電機２８をハウジング６に固定するために、ハウジング６の頂部部分のその近位末端に発電機２８を位置決めし、トルクを与える握り３６（図１、２Ａ、３、および４）を時計回りの方向に回し、発電機２８をハウジング６に手でしっかり締める。特定の実施形態において、トルクレンチ（示されない）は、トルクを与える握り３６を回すことを容易にするために利用され得る。
【００３３】
発電機２８は、変換器３２（図１、２Ａ、および４に想像で示される）を含み、変換器３２は、電気エネルギーを、活動性のあご部材１８と作動的に連通している導波管３４（図１に想像で示される）の末端において運動を生じる機械エネルギーに変換するように構成される。変換器３２および導波管３４がそれらの共鳴振動数において駆動される場合、それらは、活動性のあご部材１８において機械的運動を生じる。発電機２８の電子工学系は、バッテリー３０からの電気エネルギーを変換器３２を駆動する高電圧のＡＣ波形へと変換する。１つの特定の実施形態において、このＡＣ波形の振動数は、導波管３４および変換器３２の共鳴振動数と同じである。認識され得るように、ＡＣ波形の大きさは、適切な量の機械的運動を生じる値を含む。
【００３４】
図１を再び参照すると、バッテリーアセンブリ４は、ハウジング６に解放可能に連結するように構成される。この目的のために、ハウジング６は、その中に画定されるドッキング部分４０（図２Ａおよび３に最も良好に参照されるような）を含む。ドッキング部分４０は、一般に細長い部材４２（図２Ａ、３、および４を参照のこと）を含み、一般に細長い部材４２は、ベース部材４４および長手方向の軸「Ａ−Ａ」に対してほぼ垂直な配向で延在する（図２Ａ、３、および４を参照のこと）。細長い部材４２は、バッテリーアセンブリ４のハンドピース５０（図２Ａ〜３とともに図１）に配置された１つ以上の対応する突起４８ａおよび４８ｂを解放可能に係合するように構成される１つ以上の孔４６（図２Ａ、３、および４を参照のこと）を含む。孔４６は、細長い部材４２（図２）の底部末端に隣接して配置される。そのように孔４６を位置決めすることは、バッテリーアセンブリ４のハウジング６へのラッチがけ、およびハウジング６からラッチを外すことを容易にする。
【００３５】
ベース部材４４は、バッテリーアセンブリ４を解放可能に係合するように構成され、ベース部材４４の近位末端内に作動可能に配置される適切な構成の突起５２（図３）を含む。突起５２は、バッテリーアセンブリ４のハンドピース５０の近位末端（または後部）に配置された対応するピボット５４（図４に最も良好に参照されるような）を解放可能に係合するように構成される。ベース部材４４は、その中に電気回路「ＥＣ」（例えば、図３を参照のこと）を含み、電気回路「ＥＣ」は、発電機２８とバッテリー３０との間の連通を提供するために利用される。
【００３６】
図１〜４を再び参照すると、バッテリーアセンブリ４が例示される。バッテリーアセンブリ４の全体的な機械的構築は、その中に作動可能に配置されるバッテリー３０を有するハンドピース５０を含む。図２Ｂを参照のこと。
【００３７】
図２Ｂを参照すると、任意の適切な製造方法によって製造されるハンドピース５０は、任意の適切な材料から作製され得、その材料としては、プラスチック、プラスチック複合材、金属、金属合金などが挙げられるが、これらに限定されない。例示される実施形態において、ハンドピース５０は、接触キャップ５６と、ベース部材４４に結合された電気回路「ＥＣ」との間の電気的連通を容易にするように構成される接触キャップ５６を含む。接触キャップ５６は、２０％のガラス繊維充填材を有するＢａｙｅｒ  Ｍａｋｒｏｌｏｎ（登録商標）２８８５ポリカーボネートから作製され得る。
【００３８】
図２Ｂを引き続き参照すると、ハンドピース５０は、それぞれ左および右のクラムシェル５０ａおよび５０ｂを含み、それらは、組み立てられた構成において、ハンドピース５０を集合的に画定する。左および右のクラムシェル５０ａおよび５０ｂは、１つ以上の適切な連結方法を介して一緒に連結され得る。例示される実施形態において、左および右のクラムシェルは、一緒に超音波溶接される。それぞれ左および右のクラムシェル５０ａおよび５０ｂを互いに連結する他の形態および／または方法（例えば、ろう付け）が企図される。組み立てられた構成において、それぞれ左および右のクラムシェル５０ａおよび５０ｂは、セル５８、プリント回路アセンブリ６０、および接触キャップ５６を含むバッテリーアセンブリ３０を収容するように構成される封入部５１を画定する。この目的を念頭において、それぞれ左および右のクラムシェル５０ａおよび５０ｂの各々は、０．０１０インチ〜約０．０８０インチの最小の壁の厚さを含む。例示される実施形態において、それぞれ左および右のクラムシェル５０ａおよび５０ｂの壁の厚さは、約０．０６０インチである。封入部５１のサイズは、それぞれ左および右のクラムシェル５０ａおよび５０ｂによって画定され、セル５８に隣接する内部の「自由な空間」を提供する。この「自由な空間」は、バッテリーアセンブリ４の寿命にわたる充電および放電サイクルの結果として、セル５８の厚さが増大することに適応するように設計される。すなわち、セル５８は、さえぎられずに「自由な空間」へ「膨張する」ことが可能となる。組み立てられた構成において、それぞれ左および右のクラムシェル５０ａおよび５０ｂを含むハンドピース５０はまた、実質的に固定された配向で接触キャップ５６を維持するように構成される。
【００３９】
組み立てられた構成において、左および右のクラムシェル５０ａおよび５０ｂは、ハンドピース５０の近位末端（または後部）においてピボット５４を集合的に画定する（図４を参照のこと）。ピボット５４は、バッテリーアセンブリ４が特定の配向で機器２および／または充電器（示されない）と取り外し可能に係合され得るように、ベース部材４４における突起５２を解放可能に係合するように構成される。この目的を念頭において、ピボット５４は、突起５２の構成に対応する切欠き領域６７を含む（図４）。ピボット５４は、突起５２を取り外し可能かつ旋回可能に係合するように構成されたリップ部６９も含む（図３および４）。
【００４０】
左および右のクラムシェル５０ａおよび５０ｂの各々は、１つ以上のくぼみまたはへこみ（ｉｎｄｅｎｔ）５３ａおよび５３ｂ（図２Ａおよび２Ｂ）を含み、それらは、バッテリーアセンブリ４のバッテリー３０を充電するように構成された充電器（示されない）に作動可能に配置された対応する戻り止め（ｄｅｔｅｎｔ）と解放可能に嵌合するように構成される。
【００４１】
左および右のクラムシェル５０ａおよび５０ｂの各々は、それぞれ突起４８ａおよび４８ｂ（図２Ａおよび２Ｂ）を含み、それらは、細長い部材４２の対応する孔４６と解放可能に嵌合するように構成される。突起４８ａおよび４８ｂは、解放ラッチ６２が伸ばされた位置に移動するまで、対応する孔４６と係合したままであるように構成される（図２Ａは、伸ばされた位置でのラッチ６２を、方向矢印で補助して想像図として例示する）。
【００４２】
図１〜２Ｂを再び参照すると、解放ラッチ６２は、ハンドピース５０の遠位末端に（または前方において）作動可能に配置される。解放ラッチ６２は、上に記載される任意の適切な材料から作製され得る。例示される実施形態において、解放ラッチ６２は、１５％のガラス繊維充填材を含むポリプロピレンから作製される。１５％のガラス繊維充填材料を有するポリプロピレンは、それぞれ左および右のクラムシェル５０ａおよび５０ｂの超音波溶接組み立て中のハンドピース５０に対する寄生溶接（ｐａｒａｓｉｔｉｃ  ｗｅｌｄｉｎｇ）の作用を防止および／または排除する。
【００４３】
解放ラッチ６２は、バッテリーアセンブリ４を機器２から取り外すメカニズムを提供する。解放ラッチ６２は、細長い部材４２によって「使用されていない状態」の位置または後退した位置（図１および２Ａ）に通常保持されている「自由に移動する（ｆｒｅｅ−ｆｌｏａｔｉｎｇ）」パーツである。バッテリーアセンブリ４を機器２から「嵌合解除」または連結解除するために、解放ラッチ６２は、バッテリーアセンブリ４およびハンドピース５０を機器２から機械的に分離する「使用」位置または伸ばされた位置（図２Ａに想像で示される）まで、一般に上方方向に移動させられる。特定の実施形態において、ばね（示されない）は、「使用されていない状態」の位置または後退した位置に解放ラッチ６２を付勢するために利用され得る。
【００４４】
解放ラッチ６２は、一般に細長い構成を含み、一般に細長い構成は、解放ラッチ６２が伸ばされた位置まで移動させられる場合に、細長い部材４２の内部または近位壁に接触するように構成される頂部部分６４（図２Ａおよび２Ｂ）を有する。この目的のために、頂部部分６４は、傾斜した、または斜めの傾斜面部分６８を含み、傾斜面部分６８は、ハンドピース５０（図２Ｂ）に位置する２つの突起４８に隣接し、細長い部材４２の内壁とハンドピース５０の遠位末端との間に押し込まれるように構成される。頂部部分６４は、細長い側方の棒部分７０（図２Ｂ）も含み、細長い側方の棒部分７０は、所定の点を超えて解放ラッチ６２が移動することを阻害するようにか、または防ぐように構成される。より詳しくは、側方の棒部分７０は、解放ラッチ６２が伸ばされた位置まで所定の距離を移動させられる場合に、突起４８ａおよび４８ｂに接触するように構成される。
【００４５】
解放ラッチ６２は、使用者の指（例えば、親指）を受け取るように人間工学的に構成される底部部分６６（図２Ａおよび２Ｂ）を含む。例示される実施形態において、底部部分６６は、その遠位末端に一般に傾斜面のような構成を含む。底部部分６６の左および右の側面６１ａおよび６１ｂは、ハンドピース５０の左および右のクラムシェル５０ａおよび５０ｂにそれぞれ作動可能に配置された対応する左および右のフランジ５１ａおよび５１ｂに摺動可能に連結される。左および右の側面６１ａおよび６１ｂ、ならびに対応する左および右のフランジ５１ａおよび５１ｂは、解放ラッチ６２をハンドピース５０に取り付けられたままにしながら、使用者が後退した位置から伸ばされた位置まで（そして逆もまた同様）解放ラッチ６２を移動させることを集合的に可能にする。
【００４６】
図２Ｂを引き続き参照すると、接触キャップ５６は、均質化パーツを形成するために成形された金属電気的接触挿入部を有する。接触キャップ５６は、任意の適切な連結または密封方法によって、ハンドピース５０に連結され得るか、またはハンドピース５０に対して密封され得、その方法としては、ろう付け、溶接、接着剤の適用などが挙げられるが、これらに限定されない。例示される実施形態において、接触キャップ５６は、光硬化ポッティング接着剤でハンドピース５０に対して密封される。
【００４７】
１つ以上のリブ５７および１つのフレーム５９は、バッテリーアセンブリ４内に作動可能に配置され、左および右のクラムシェル５０ａおよび５０ｂが組み立てられた構成（図２Ｂ）である場合に、実質的に定められた構成でプリント回路アセンブリ６０を集合的に維持するように構成される。より詳しくは、１つ以上のリブ５７は、キャップ５６の下側に作動可能に配置され、フレーム５９は、バッテリー３０の１つ以上のセル（３つのリチウムポリマーセル）を収容するように構成されるスリーブ６３の頂部部分に作動可能に配置される。
【００４８】
過圧安全ベント７２（図２Ｂ）は、左および右のクラムシェル５０ａおよび５０ｂのうちの片方または両方に位置し得る。例示の目的のために、過圧安全ベントまたはバルブ７２は、左クラムシェル５０ａに位置し得る。流体を通さない密封（ｆｌｕｉｄ−ｔｉｇｈｔ  ｓｅａｌ）を維持するために、過圧安全バルブ７２は、ばね７４およびＯリング７６（図２Ｂ）を介して左のクラムシェル５０ａに固定される。ばね７４は、Ｏリング７６に対して過圧安全バルブ７２を付勢する。圧力は、ハンドピース５０の内側で一旦所定の圧力に達し、そして／または超えると、過圧安全バルブ７２を通して解放される。
【００４９】
使用において、バッテリーアセンブリ４は、最初に充電器（示されない）に連結される。バッテリーアセンブリ４を機器２に取り付けるために、使用者は、突起５２に隣接してピボット５４を位置決めし、ハンドピース５０の遠位末端をドッキング部分４０の細長い部材４２に対して「振り動かす」。突起４８ａおよび４８ｂは、孔４６を係合する。係合した状態において、解放ラッチ６２は、後退した位置（図１および２Ａ）にある。バッテリーアセンブリ４を機器２から係合解除するために、使用者は、解放ラッチ６２を伸ばされた位置（図２Ａに想像で示される）まで上方に移動させる。解放ラッチ６２の上方移動は、頂部部分６４の傾斜面部分６８を細長い部材４２の内壁の間に押し込み、次に突起４８ａおよび４８ｂを孔４６から係合解除させる。
【００５０】
ピボット５４、解放ラッチ６２、ならびにドッキング部分４０の細長い部材４２における孔４６に解放可能に連結する突起４８ａおよび４８ｂを含むバッテリーアセンブリ４の特有の構成は、使用者が都合よく容易に、バッテリーアセンブリ４を取り付け、機器２から外すことを可能にする。
【００５１】
機器２およびバッテリーアセンブリ４は、１つ以上の代替の連結方法を介して互いに解放可能に連結するように構成され得る。
【００５２】
例えば、そして図５Ａおよび５Ｂを参照すると、携帯型外科用機器の代替の実施形態は、機器１０２を示す。機器１０２は、バッテリーアセンブリ１０４に解放可能に連結するように構成される。機器１０２およびバッテリーアセンブリ１０４は、機器２およびバッテリーアセンブリ４と実質的に同一である。そのことを考慮し、そして過剰な情報で本開示を不明瞭にしないために、機器１０２およびバッテリーアセンブリ１０４に特有である特徴のみが本明細書中に記載される。
【００５３】
機器２と違い、機器１０２は、細長い部材４２を有するドッキング部分４０を含まない。より詳しくは、機器１０２は、１つ以上の可撓な腕または「つめ」１０３を含むベース部材１４４（ハウジング１０６から部分的に分離されて示される）を有するハウジング１０６を含む。例示の目的のために、ベース部材１４４は、４つの「つめ」１０３ａ〜１０３ｄを含めて示される。
【００５４】
つめ１０３ａ〜１０３ｄは、任意の適切な材料から作製され得、その材料としては、金属、金属合金、プラスチック、プラスチック複合材、上述の材料のうちの１つなどが挙げられるが、これらに限定されない。図５Ａおよび５Ｂに例示される実施形態において、つめ１０３ａ〜１０３ｄは、金属から作製される。
【００５５】
つめ１０３ａ〜１０３ｄは、バッテリーアセンブリ１０４を解放可能に係合するように構成される。この目的のために、つめ１０３ａ〜１０３ｄは、１つ以上の連結方法（例えば、明らかには示されないピボットピンまたはヒンジ）を介してベース部材１４４に旋回可能に連結される。つめ１０３ａ〜１０３ｄは、バッテリーアセンブリ１０４の底部部分を係合するように構成されるそれぞれの底部部分を含む。より詳しくは、つめ１０３ａ〜１０３ｄは、各々がほぼ正方形を有するそれぞれの底部部分１０５ａ〜１０５ｄを含む。つめ１０３ａ〜１０３ｄが閉鎖または係合した位置にある場合、つめ１０３ａ〜１０３ｄは、図５Ｂに最も良好に参照されるような、ほぼ正方形のような形を集合的に形成する。係合した位置において、つめ１０３ａ〜１０３ｄは、係合した位置にバッテリーアセンブリ１０４を「係止」するように構成される。
【００５６】
特定の実施形態において、つめ１０３ａ〜１０３ｄは、ベース部材１４４内を平行移動するように構成され得、このことは、バッテリーアセンブリ１０４を係止または係合した位置に維持すること、および／またはバッテリーアセンブリ１０４の接触キャップ５６をベース部材１４４の電気回路に係合することを容易にし得る。
【００５７】
バッテリーアセンブリ４と違い、バッテリーアセンブリ１０４は、解放ラッチ６２を含まない。より詳しくは、バッテリーアセンブリ１０４は、つめ１０３ａ〜１０３ｄの間に位置決め可能であり、つめ１０３ａ〜１０３ｄが閉鎖または係合した位置に移動させられる場合に、ベース部材１４４を係合するように構成される。閉鎖または係合した位置において、バッテリーアセンブリ１０４は、ベース部材１４４内に配置される電気回路と連通する。
【００５８】
図５Ａおよび５Ｂに例示される実施形態において、つめ１０３ａ〜１０３ｄをバッテリーアセンブリ１０４に係合すること、およびつめ１０３ａ〜１０３ｄをバッテリーアセンブリ１０４から係合解除することを容易にするために、つめ１０３ａ〜１０３ｄは、バッテリーアセンブリ１０４の外表面に作動可能に配置された対応する溝または切欠き１０６ａ〜１０６ｄと嵌合するように構成される（図５Ａ）。
【００５９】
使用において、つめ１０３ａ〜１０３ｄは、最初に開口位置（図５Ａ）にある。バッテリーアセンブリ１０４を機器１０２に連結するために、使用者は、つめ１０３ａ〜１０３ｄの間にバッテリー１０４を位置決めする。特定の実施形態において、つめ１０３ａ〜１０３ｄは、対応する溝１０６ａ〜１０６ｄを係合する。使用者は次に、つめ１０３ａ〜１０３ｄを閉鎖位置（図５Ｂ）まで移動させる。特定の実施形態において、使用者は、その後、バッテリーアセンブリ１０４をつめ１０３ａ〜１０３ｄの中に係止するために、つめ１０３ａ〜１０３ｄを上方に、そしてベース部材１４４の中に移動し得る。
【００６０】
図６Ａ〜６Ｃを参照すると、携帯型外科用機器の別の実施形態は、機器２０２を示す。機器２０２は、バッテリーアセンブリ２０４に解放可能に連結するように構成される。機器２０２およびバッテリーアセンブリ２０４は、機器２およびバッテリーアセンブリ４と実質的に同一である。そのことを考慮し、そして過剰な情報で本開示を不明瞭にしないために、機器２０２およびバッテリーアセンブリ２０４に特有である特徴のみが本明細書中に記載される。
【００６１】
ガイドレール２０５の形態での係止部２０３は、機器２０２のハウジング２０６のベース部材２４４内に作動可能に配置される（図６Ａ〜６Ｃ）。より詳しくは、ガイドレール２０５は、バッテリーアセンブリ２０４に連結される係止ボルト２０９（図６Ａ〜６Ｃ）の周囲に沿って画定された対応する溝２０７（図６Ａ〜６Ｃ）を解放可能に係合するように構成される。ガイドレール２０５は、上に記載される任意の材料（例えば、プラスチック）から形成され得る。ガイドレール２０５は、任意の適切な構成を含み得る。例示される実施形態において、ガイドレールは、ほぼ螺旋の構成を含み、ほぼ螺旋の構成は、それを通して係止ボルト２０９を受け取るように構成された直径を有する（図６Ｂ〜６Ｃを参照のこと）。
【００６２】
握り２１１（図６Ａ〜６Ｃ）は、バッテリー２０４に作動可能に連結され、バッテリー２０４に対して時計回りの方向および反時計回りの方向に回転可能である。例示された実施形態において、握り２１１は、係止ボルト２０９がガイドレール２０５に係合するか、または係合解除するかのいずれかであるように、係止ボルト２０９を回すように構成される。例示される実施形態において、握り２１１は、係止ボルト２０９をガイドレール２０５に係合するか、または係止ボルト２０９をガイドレール２０５から係合解除するために、それぞれ時計回りの方向または反時計回りの方向のいずれかで完全回転のうちの１／４回される。
【００６３】
ネジ山付きロッド２１３（図６Ａ〜６Ｃ）は、バッテリーアセンブリ２０４の長さを通して延在し、係止ボルト２０９を握り２１１に作動可能に連結するように構成される。より詳しくは、ネジ山付きロッド２１３は、バッテリーアセンブリ２０４の長さに延び、握り２１１（図６Ａ〜６Ｃ）に隣接して配置された係止ナット２１５を介して、バッテリーアセンブリ２０４に連結する。係止ナット２１５は、ネジ山付きロッド２１３のバッテリーアセンブリ２０４への係合を維持しながら係止ボルト２０９を回すことを容易にするように構成される。
【００６４】
使用において、バッテリーアセンブリ２０４は、最初に充電器（示されない）に連結される。バッテリーアセンブリ２０４を機器２０２に取り付けるために、使用者は、係止ボルト２０９をガイドレール２０５内に位置決めし、握り２１１を時計回りの方向に１／４回転回し、このことは、次に、係止ボルト２０９を回転させ、その結果、係止ボルト２０９はガイドレール２０５を係合する（図６Ｃ）。バッテリーアセンブリ２０４を機器２０２から係合解除するために、使用者は、握り２１１を反時計回りの方向に１／４回転回し、このことは、次に、係止ボルト２０９を回転させ、係止ボルト２０９はガイドレール２０５を係合解除する（図６Ｂ）。
【００６５】
図７Ａ〜７Ｂを参照すると、携帯型外科用機器の別の実施形態は、バッテリーアセンブリ３０４に解放可能に連結するように構成される機器３０２を示す。機器３０２およびバッテリーアセンブリ３０４は、機器２およびバッテリーアセンブリ４と実質的に同一である。そのことを考慮し、そして過剰な情報で本開示を不明瞭にしないために、機器３０２およびバッテリーアセンブリ３０４に特有である特徴のみが本明細書中に記載される。
【００６６】
図７Ａ〜７Ｂに例示される実施形態において、バッテリーアセンブリ３０４は、バッテリーアセンブリ３０４およびベース部材３４４の各々と作動可能に結合する磁気メカニズム３０５を介して、磁気作用によってハウジング３０６のベース部材３４４に連結する。より詳しくは、磁気メカニズム３０５は、バッテリーアセンブリ３０４における１つ以上の磁石３０７（または磁気材料）を含み、ベース部材３４４において、またはベース部材３４４内に１つ以上の磁石３０９（または磁気材料）を含む。例示の目的のために、磁石３０９は、ベース部材３４４内に示される。バッテリーアセンブリ３０４およびベース部材３４４のそれぞれにおける磁石３０７および３０９は、反対の極性を有する。図７Ａおよび７Ｂに例示される実施形態において、磁石３０７および３０９のうちの片方または両方は、極性を変えることができる電磁石である。例示の目的のために、ベース部材３４４内の磁石３０９は、電磁石として例示される。
【００６７】
アクチュエータ３１１（図７Ａおよび７Ｂ）は、機器３０２に作動可能に配置され、磁石３０９と作動的に連通している。アクチュエータ３１１は、バッテリーアセンブリ３０４を機器３０２に係止し、バッテリーアセンブリ３０４を機器３０２から係止解除するために、磁石３０９の極性を変えるように構成される。
【００６８】
図７Ａおよび７Ｂに例示される実施形態において、バッテリーアセンブリ３０４をベース部材３４４に連結することを容易にするために、バッテリーアセンブリ３０４は、フランジ付き底部部分３２１を含む。フランジ付き底部部分３２１は、使用者のためにグリップ表面を提供する。
【００６９】
使用において、バッテリーアセンブリ３０４は、最初に充電器（示されない）に連結される。バッテリーアセンブリ３０４を機器３０２に取り付けるために、使用者は、バッテリーアセンブリ３０４をベース部材３４４内に位置決めする。磁石３０７および３０９の反対の極性は、バッテリーアセンブリ３０４および機器３０２を係合または係止した位置（図７Ｂ）に維持する。バッテリーアセンブリ３０４を機器３０２から係合解除するために、使用者は、磁石３０９の極性を磁石３０７の反対の極性に変えるためにアクチュエータ３１１を押し、このことは、次に、使用者がバッテリーアセンブリ３０４をベース部材３４４から取り外すことを可能にする。
【００７０】
あるいは、磁気メカニズム３０５は、必要である場合に、使用者が磁石３０７および３０９を単純にばらばらに「引き離し」得るように構成され得る。すなわち、磁石３０７および３０９は、所定の量の力、すなわち、バッテリーアセンブリ３０４を機器３０２に連結する磁石の力よりも大きい力がバッテリーアセンブリ３０４および／または機器３０２に適用されるまで、バッテリーアセンブリ３０４および機器３０２を係合または係止した位置に維持するように構成され得る。
【００７１】
図８Ａ〜８Ｂを参照すると、携帯型外科用機器の別の実施形態は、機器４０２を示す。機器４０２およびバッテリーアセンブリ４０４は、機器２およびバッテリーアセンブリ４と実質的に同一である。そのことを考慮し、そして過剰な情報で本開示を不明瞭にしないために、機器４０２およびバッテリーアセンブリ４０４に特有である特徴のみが本明細書中に記載される。
【００７２】
接着剤は、バッテリーアセンブリ４０４またはハウジング４０６のベース部材４４４のいずれかに作動可能に連結される。接着剤は、バッテリー３０を含むバッテリーアセンブリ４０４をハウジング４０６に連結するように構成される。図８Ａ〜８Ｂに例示される実施形態において、接着剤は、低粘着性接着剤（例えば、低粘着性接着テープ４２１など）である。低粘着性接着テープ４２１は、バッテリーアセンブリ４０４の接触キャップ４６０に隣接して作動可能に配置され、接触キャップ４６０のグリッドに類似したグリッドのような構成を含む。より詳しくは、低粘着性接着テープ４２１は、バッテリーアセンブリ４０４にしっかりと連結され、接触キャップ４６０のグリッドを実質的に取り囲む。低粘着性接着テープ４２１は、ベース部材４４４の内部表面に貼り付くように構成される。図８Ａおよび８Ｂに例示される実施形態において、低粘着性接着テープ４２１は、ベース部材４４４の中に含まれる電気回路「ＥＣ」に隣接してベース部材４４４の内部領域に貼り付くように構成される。認識され得るように、低粘着性接着テープ４２１は、電気回路「ＥＣ」の作動に干渉しない様式でベース部材の内部領域に貼り付くように構成される。
【００７３】
取り外し可能なフィルム（示されない）は、バッテリーアセンブリ４０４が機器４０２に連結されていない場合に、低粘着性接着テープ４２１を覆うか、または保護する。従って、低粘着性接着テープ４２１の「粘着性」は、バッテリーアセンブリ４０４が機器４０２に連結されていない場合に損なわれず、低粘着性接着テープ４２１が、必要とされる量の「粘着性」および／または「貼り付く」力を提供することを確実にする。
【００７４】
バッテリーアセンブリ４０４を機器４０２に取り付けるために、使用者は、低粘着性接着テープ４２１からフィルムを取り外し、バッテリーアセンブリ４０４を機器４０２のベース部材４４４内に位置決めする。バッテリーアセンブリ４０４を機器４０２から取り外すために、使用者は、バッテリーアセンブリ４０４をベース部材４４４から単純に「引き離す」か、または引っ張る。
【００７５】
図９を参照すると、携帯型外科用機器の別の実施形態は、機器５０２を示す。機器５０２およびバッテリーアセンブリ５０４は、機器２およびバッテリーアセンブリ４と実質的に同一である。そのことを考慮し、そして過剰な情報で本開示を不明瞭にしないために、機器５０２およびバッテリーアセンブリ５０４に特有である特徴のみが本明細書中に記載される。
【００７６】
バッテリーアセンブリ５０４は、１つ以上の適切な連結方法を介して、機器５０２のハウジング５０６に遠く離れた位置から取り付けられ、その適切な連結方法としては、ワイヤー、ケーブル、コード、ＵＳＢなどが挙げられるが、これらに限定されない。例示の目的のために、ケーブル５０７は、機器５０２とバッテリーアセンブリ５０４との間の電気的連通を提供する。ハウジング５０６は、その上にポート５０８を含み、ポート５０８は、ケーブル５０７の末端に接続するように構成される。同様に、ポート５１１は、バッテリーアセンブリ５０４上に配置され、ケーブル５０７の末端を受け取るように構成される。
【００７７】
図９に例示される実施形態において、バッテリーアセンブリ５０４は、使用者の腕に取り外し可能に取り付けられるように構成される。より詳しくは、保持デバイスまたはハーネス５０９は、使用者の腕に取り外し可能に取り付けられるように構成され、その中にバッテリーアセンブリ５０４を収容するように構成される。１つ以上のストラップ（示されない）は、ハーネス５０９に連結され、ハーネス５０９を使用者の腕に取り付けるために利用され得る。例えば、そしていくつかの実施形態において、Ｖｅｌｃｒｏ（登録商標）で合わせられる２つのストラップは、ハーネス５０９を使用者の腕に固定するために利用され得る。
【００７８】
バッテリーアセンブリ５０４を機器５０２に連結するために、ケーブル５０７は、バッテリーアセンブリ５０４およびハウジング５０６のそれぞれの上のポート５１１および５０８の各々に連結される。その後、バッテリーアセンブリ５０４は、使用者に取り付けられるハーネス５０９に位置決めされるか、または取り付けられる。バッテリーアセンブリ５０４を機器２から連結解除するために、使用者は、バッテリーアセンブリ５０４および機器５０２それぞれのポート５１１および／またはポート５０８からケーブルを単純に取り外す。
【００７９】
あるいは、バッテリーアセンブリ５０４は、機器５０２に隣接して、または機器５０２の付近（例えば、手術台上）に単純に位置決めされ得る。機器５０２に対するバッテリーアセンブリ５０４の正確な位置決めは、提供されるケーブル５０７の長さ、外科手順などに依存し得る。
【００８０】
図１０Ａおよび１０Ｂを参照すると、携帯型外科用機器の別の実施形態は、機器６０２を示す。機器６０２およびバッテリーアセンブリ６０４は、機器２およびバッテリーアセンブリ４と実質的に同一であり、機器６０２およびバッテリーアセンブリ６０４に特有である特徴のみが本明細書中に記載される。
【００８１】
図１０Ａおよび１０Ｂに例示される実施形態において、ハウジング６０６は、エラストマー材料（例えば、ポリクロロプレンなど）から作製されるドッキング部材６４０を含む。ドッキング部材６４０は、その中に画定される開口側壁６４２を有するほぼ楕円形の細長い構成を含み、その中にバッテリーアセンブリ６０４を受け取り、解放可能に収容するように構成される。
【００８２】
バッテリーアセンブリ６０４の接触キャップ（例えば、接触キャップ５６）をベース部材６４４内に含まれる電気回路「ＥＣ」に接続することを容易にするために、バッテリーアセンブリ６０４は、ドッキング部材６４０の長さよりもわずかに大きい長さを含み得る。従って、バッテリーアセンブリ６０４がドッキング部材６４０内に位置決めされる場合に、ドッキング部材６４０は、接触キャップ５６がベース部材６４４内に含まれる電気回路「ＥＣ」に接触し、ベース部材６４４内に含まれる電気回路「ＥＣ」と電気的連通したままであるように、バッテリーアセンブリ６０４に上方への力を及ぼす。
【００８３】
使用において、バッテリーアセンブリ６０４を機器６０２に連結するために、バッテリーアセンブリ６０４は、ドッキング部材６４０内に位置決めされる。バッテリーアセンブリ６０４をドッキング部材６４０から取り外すために、使用者は、バッテリーアセンブリ６０４をつかみ、バッテリーアセンブリ６０４をドッキング部材６４０から「引き離す」か、または引っ張る。
【００８４】
図１１Ａ〜１１Ｃを参照すると、携帯型外科用機器の別の実施形態は、機器７０２を示す。機器７０２およびバッテリーアセンブリ７０４は、機器２およびバッテリーアセンブリ４と実質的に同一であり、機器７０２およびバッテリーアセンブリ７０４に特有である特徴のみが本明細書中に記載される。
【００８５】
ドッキング部分７４０（図１１Ａ）は、長手方向の軸「Ａ−Ａ」に対してほぼ垂直に配置される細長い部材７４２、および底部部分７４３を含み、底部部分７４３は、バッテリーアセンブリ７０４のハンドピース７５０の対応する底部部分を係合するように構成される。
【００８６】
解放メカニズム７４１は、ドッキング部分７４０の細長い部材７４２に作動可能に配置され、バッテリーアセンブリ７０４のバッテリー７３０を含むハンドピース７５０をドッキング部分７４０から係合解除するように構成される。より詳しくは、解放メカニズム７４１は、長手方向の軸「Ａ−Ａ」に沿って平行移動可能であり、解放メカニズム７４１が始動される場合にバッテリーアセンブリ７０４を近位方向に「押し」、係止した位置および／またはドッキング部分７４０との係合から外れるように構成される。ばね（示されない）は、解放メカニズム７４１に作動可能に連結され得、最初の位置（例えば、始動していない位置）において、解放メカニズム７４１を付勢するように構成され得る。
【００８７】
オーバーセンタリンケージメカニズム７０７の形態でのリンケージシステムは、ドッキング部分７４０のベース部材７４４に作動可能に配置される。リンケージシステム７０７は、別のオーバーセンタリンクの周りを旋回する１つ以上のオーバーセンタリンクを含む。図１１Ａ〜１１Ｃに例示される実施形態において、２つのオーバーセンタリンク７０９ａおよび７０９ｂは、互いの周りを旋回可能であることが示される。リンク７０９ｂは、ドッキング部分７４０において係止された構成にリンク７０９ａ、７０９ｂを付勢するための付勢部材７１２に作動可能に連結される。例えば、図１１Ｃを参照のこと。
【００８８】
リンク７０９ａ、７０９ｂは、ハンドピース７５０またはバッテリー７３０のいずれかを選択的に係合するように構成される。特に、リンク７０９ａは、バッテリーアセンブリ７０４のハンドピース７５０（またはバッテリー７３０）を補完するように形作られたハウジング７５１にピボットピン７５２を介して連結する（図１１Ａ〜１１Ｃ）。ピボットピン７５２は、バッテリーアセンブリ７０４がドッキング部分７４０に「装填」されようとしている場合に、バッテリーアセンブリ７０４がリンク７０９ａの周りを旋回することを可能にする（図１１Ａ〜１１Ｂ）。いくつかの実施形態において、バッテリーアセンブリ７０４およびリンク７０９ａが互いにしっかりと連結されること、すなわち、互いに旋回可能に連結されないことが有用であると分かり得る。
【００８９】
ハウジング７５１は、バッテリーアセンブリ７０４がハウジング７５１に連結される場合に、バッテリー７０４が電気エネルギーを発電機２８に提供することが可能であるように、ハウジング７０６における電気回路と連通するように構成される。
【００９０】
リンク７０９ａは、１つ以上の適切な連結方法を介してリンク７０９ｂに旋回可能に連結される。図１１Ａ〜１１Ｃに例示される実施形態において、ピボットピン７１９は、リンク７０９ｂの底部末端に作動可能に配置され、リンク７０９ａの頂部末端に配置された孔７２０（ピボットピン７１９と係合したものが示され、それ自体、明らかには示されない）に作動可能に連結する。
【００９１】
リンク７０９ｂは、一般に細長い構成を含み、その頂部末端においてピボットピン７１４を介して作動可能に連結される適切な構成のピストンヘッド７１３を有する（図１１Ａ〜１１Ｃ）。ピストンヘッド７１３は、ほぼ円柱状の構成を含み、その頂部表面において１つ以上の適切な連結方法（例えば、ろう付け）によって付勢部材７１２に作動可能に連結される。
【００９２】
付勢部材７１２は、任意の適切な付勢部材（ばね、弾性部材などが挙げられる）であり得る。付勢部材７１２は、ベース部材７４４の細長いまたは長手の、空洞またはスロット７１５内に作動可能に配置される圧縮ばねの形態である。リンク７０９ｂのピストンヘッド７１３を含む付勢部材７１２は、長手のスロット７１５内を平行移動するように構成される。より詳しくは、ピストンヘッド７１３を含む付勢部材７１２は、リンク７０９ａが係止解除された位置にある状態に相当する正常に伸ばされた位置（図１１Ａ）から、リンク７０９ａがバッテリーアセンブリ７０４に連結され、係止した位置にある状態に相当する後退した位置（図１１Ｃ）まで平行移動するように構成される。すなわち、係止した位置において、リンク７０９ａは、センターライン「ＣＬ」を超えて配置される（図１１Ｃ）。リンク７０９ａは、使用者が解放メカニズム７４１を始動するまで、ばね７１２によって提供される付勢力の下、係止した位置にあるままであるように構成される。
【００９３】
使用において、バッテリーアセンブリ７０４を機器７０２に連結するために、使用者は、バッテリーアセンブリ７０４をハウジング７５１の中に装填する。従って、使用者は、ハウジング７５１を旋回させ、その中にバッテリーアセンブリ７０４を含むハウジング７５１をドッキング部分７４０の中に位置決めする（図１１Ｂ）。ハウジング７５１をドッキング部分７４０の中に係止するために、使用者は、リンク７０９ａ、７０９ｂを遠位方向にドッキング部分７４０に向かって押す（図１１Ｂ）。ピストンヘッド７１３を含む付勢部材７１２が後退した位置まで平行移動する場合、リンク７０９ａ、７０９ｂは、垂直位置を超えて（例えば、「オーバーセンタ」）、および「ＣＬ」を超えて、バッテリーアセンブリ７０４が機器７０２のドッキング部分７４０にラッチがけ、または連結されている状態に相当する係止した位置まで移動する（図１１Ｃ）。
【００９４】
バッテリーアセンブリ７０４を機器７０２からラッチを外すために、使用者は、バッテリーアセンブリ７０４を係止された位置および／またはドッキング部分７４０との係合から押し出すために解放メカニズム７４１を近位方向に移動させ得る。
【００９５】
図１２Ａ〜１２Ｃを参照すると、携帯型外科用機器の他の実施形態は、機器８０２を示す。機器８０２は、バッテリーアセンブリ８０４に解放可能に連結するように構成される。機器８０２およびバッテリーアセンブリ８０４は、機器２およびバッテリーアセンブリ４と実質的に同一であり、機器８０２およびバッテリーアセンブリ８０４に特有である特徴のみが本明細書中に記載される。
【００９６】
バッテリーアセンブリ８０４の底部部分は、１つ以上のラッチがけ部材８０３を含む。図１２Ａおよび１２Ｂに例示される実施形態において、ラッチがけ部材８０３は、２つの突起または戻り止め８０３ａおよび８０３ｂを含み、２つの突起または戻り止め８０３ａおよび８０３ｂは、ドッキング部分８４０の底部部分８４３に作動可能に配置される２つの対応する孔またはへこみ８０４ａおよび８０４ｂを解放可能に係合するように構成される。
【００９７】
解放メカニズム８４１（代表的な図に想像で示される）は、ドッキング部分８４０の細長い部材８４２に配置され、戻り止め８０３ａおよび８０３ｂをドッキング部分８４０のへこみ８０４ａおよび８０４ｂから係合解除するように構成される。解放メカニズム８４１は、任意の適切な解放メカニズム（例えば、摺動レバー、押しボタン、または同様のものなど）であり得る。図１２Ａ、１２Ｂ、および１２Ｄに例示される実施形態において、解放メカニズム８４１は、摺動レバーの形態である。解放メカニズム８４１は、長手方向の軸「Ａ−Ａ」に沿って平行移動可能であり、解放メカニズム８４１が始動される場合にバッテリーアセンブリ８０４を係止した位置および／またはドッキング部分８４０との係合から「押し」出すように構成される。ばね（示されない）は、解放メカニズム８４１に作動可能に連結され得、最初の位置（例えば、始動していない位置）に解放メカニズム８４１を付勢するように構成される。
【００９８】
ドッキング部分８４０は、後方装填（図１２Ｃおよび１２Ｄ）、または特定の実施形態において、前方装填のために構成され得る（例えば、図１２Ａを参照のこと）。
【００９９】
使用において、バッテリーアセンブリ８０４を機器８０２に連結するために、使用者は、戻り止め８０３ａおよび８０３ｂが、対応するへこみ８０４ａおよび８０４ｂを係合するようにバッテリーアセンブリ８０４を機器８０２のドッキング部分８４０の中に位置決めする。戻り止め８０３ａおよび８０３ｂと対応するへこみ８０４ａおよび８０４ｂとの係合は、バッテリーアセンブリ８０４を機器８０２に固定および／または係止する（図１２Ｂ）。バッテリーアセンブリ８０４を機器８０２から係止解除するか、またはラッチを外すために、使用者は、解放メカニズム８４１を遠位に（図１２Ａ）または近位に（図１２Ｄ）のいずれかに移動させ、これは、もちろん、機器８０２が後方装填のために構成されているか、または前方装填のために構成されているかに依存する。
【０１００】
いくつかの実施形態において、ドッキング部分８４０の底部部分８４３は、細長い部材８４２に旋回可能に連結され得る（例えば、図１２Ｃを参照のこと）。例えば、適切な構成のヒンジ８５０は、細長い部材８４２を底部部分８４３に作動可能に連結し得る。この例において、ヒンジ８５０は、バッテリーアセンブリ８０４をドッキング部分８４０に装填するためのラッチを外された位置（図１２Ｃ）からバッテリーアセンブリをドッキング部分８４０に係止するためのラッチがけされた位置（示されない）まで移動可能である。図１２Ｃに例示される実施形態において、１つ以上の戻り止め（例えば、戻り止め８０３ａ）は、１つ以上の対応するへこみ（例えば、へこみ８０４ａ）に解放可能に連結するように構成され得る。戻り止め８０３ａおよびへこみ８０４ａの各々は、前に記載された通りに機能する。
【０１０１】
底部部分８４３および細長い部材８４２が互いに旋回可能に連結される例において、使用者は、バッテリーアセンブリ８０４をドッキング部分８４２の中に位置決めするために底部部分８４３のラッチを外す。その後、底部部分８４３は、バッテリーアセンブリ８０４を機器８０２に固定するために、係止した位置またはラッチがけされた位置に移動して戻る。
【０１０２】
バッテリーアセンブリ８０４（または前に記載されたバッテリーアセンブリのうちのいずれか）を機器８０２（または前に記載された機器のうちのいずれか）に固定すること、または係止することを容易にするために、機器８０２は、遠く離れた吸引デバイス（例えば、病院の吸引源など）に作動可能に連結するように構成され得る。例えば、図１２Ｄを参照のこと。この例において、管腔８１７（図１２Ｄに想像で例示される）は、ハウジング８０６を通って延び、遠く離れた吸引源に連結するように構成される近位末端を介して（例えば、近位ポート８１８ａを介して）、およびバッテリーアセンブリ８０４をドッキング部分８４０の中に引き寄せるように構成される遠位末端を介して（例えば、遠位ポート８１８ｂを介して）、病院の吸引源と流体連通している場合がある。
【０１０３】
使用において、バッテリーアセンブリ８０４がドッキング部分８４０において位置決めされる場合に、遠く離れた吸引源（例えば、病院の吸引源によって提供される吸引）は、バッテリーアセンブリ８０４をドッキング部分８０４の中に引き寄せることを助け、バッテリーアセンブリ８０４と機器８０２との間の固定された関係および／または定められた関係を維持することを助ける。
【０１０４】
図１３Ａ〜１３Ｃを参照すると、携帯型外科用機器の実施形態は、機器９０２を示す。機器９０２は、バッテリーアセンブリ９０４に解放可能に連結するように構成される。機器９０２およびバッテリーアセンブリ９０４は、機器２およびバッテリーアセンブリ４と実質的に同一であり、機器９０２およびバッテリーアセンブリ９０４に特有である特徴のみが本明細書中に記載される。
【０１０５】
図１３Ａ〜１３Ｃに例示される実施形態において、機器９０２は、１つ以上の適切な連結方法（例えば、スナップばめ、プレスばめ、へこみ／戻り止め構成など）を介して機器９０２に連結するように構成される、選択的に取り外し可能なユニバーサルハウジング９０６を含む。
【０１０６】
取り外し可能なハウジング９０６は、上に記載された通りの様式で発電機９２８（または他の適切なデバイス）およびバッテリーアセンブリ９０４に連結するように構成される。ユニバーサルハウジング９０６は、種々の構成の発電機９２８だけではなく種々の構成のバッテリーアセンブリにも適応するように構成される。使用において、ハウジング９０６、バッテリーアセンブリ９０４、および発電機９２８は、最初に互いに連結され得る。図１３Ａを参照のこと。特定の例において、一旦、互いに連結されると、使用者は、ハウジング９０６に連結されたバッテリーアセンブリ９０４および発電機９２８を含めてハウジング９０６を機器９０２に連結し得る。図１３Ｂを参照のこと。その後、発電機９２８および／またはバッテリーアセンブリ９０４は、本明細書中で前に記載された通りの様式でハウジング９０２から連結解除され得る。図１３Ｃを参照のこと。認識され得るように、ハウジング９０６の特有の構成は、使用者が、異なる発電機および／または異なるバッテリーアセンブリを機器９０２に連結することを可能にする。例えば、１つの特定の実施形態において、使用者は、特定の組織効果（例えば、組織を横切するか、切開するか、密封するか、凝固させるかのいずれか）を生じるように構成される第一の発電機を連結し得、次に第一の組織効果と異なる組織効果（例えば、横切するか、切開するか、密封するか、凝固させるかのいずれか）を生じるように構成される異なる第二の発電機を連結し得る。
【０１０７】
実施形態において、機器２は、ＲＦエネルギーを介して組織を電気外科的に処置するように構成され得る。この例において、発電機２８は、ＲＦエネルギーを発生させるように構成される。さらに、変換器および導波管は、１つ以上の電気的フィードによって置き換えられ、１つ以上の電気的フィードは、あご部材１６、１８と電気的に連通し、組織を電気外科的に処置するために、そこにＲＦエネルギーを提供するように構成される。
【０１０８】
さらに別の実施形態において、機器２は、組織をステープル留めするように構成され得る。この例において、発電機２８は、電気エネルギーを発生させるように構成され、あご部材１６、１８は、アンビルアセンブリおよびカートリッジアセンブリ（明らかには示されない）によって置き換えられる。アンビルアセンブリおよびカートリッジアセンブリと電気的に連通している１つ以上の電気的フィードは、カートリッジアセンブリからの射出前にカートリッジアセンブリにおけるステープルにエネルギーを与えるために、カートリッジアセンブリに電気エネルギーを提供するように構成される。あるいは、ステープルは、それらが形成される間にエネルギーを与えられ得る（例えば、電気エネルギーは、ステープルにエネルギーを与えるために、アンビルアセンブリのアンビルプレートに印加される）。
【０１０９】
本開示のいつくかの実施形態が図面に示されてきたが、本開示は当該分野が許容するのと同じほど範囲が広いこと、および本明細書は同様に読まれることが意図されるので、本開示はそれらの実施形態に限定されることが意図されない。従って、上の記載は、限定するものではなく、単に特定の実施形態の例証と解釈されるべきである。当業者は、ここに添付される特許請求の範囲の範囲および趣旨内の他の改変を想定する。
【符号の説明】
【０１１０】
２  （外科用）機器
４  バッテリーアセンブリ
６  ハウジング
８  シャフト
１４  エンドエフェクタ
４０  ドッキング部分
【図１】
2015062696.tif 000003
【図２Ａ】
2015062696.tif 000004
【図２Ｂ】
2015062696.tif 000005
【図３】
2015062696.tif 000006
【図４】
2015062696.tif 000007
【図５Ａ】
2015062696.tif 000008
【図５Ｂ】
2015062696.tif 000009
【図６Ａ】
2015062696.tif 000010
【図６Ｂ】
2015062696.tif 000011
【図６Ｃ】
2015062696.tif 000012
【図７Ａ】
2015062696.tif 000013
【図７Ｂ】
2015062696.tif 000014
【図８Ａ】
2015062696.tif 000015
【図８Ｂ】
2015062696.tif 000016
【図９】
2015062696.tif 000017
【図１０Ａ】
2015062696.tif 000018
【図１０Ｂ】
2015062696.tif 000019
【図１１Ａ】
2015062696.tif 000020
【図１１Ｂ】
2015062696.tif 000021
【図１１Ｃ】
2015062696.tif 000022
【図１２Ａ】
2015062696.tif 000023
【図１２Ｂ】
2015062696.tif 000024
【図１２Ｃ】
2015062696.tif 000025
【図１２Ｄ】
2015062696.tif 000026
【図１３Ａ】
2015062696.tif 000027
【図１３Ｂ】
2015062696.tif 000028
【図１３Ｃ】
2015062696.tif 000029